Podtech/llm-jp-corpus-v4-ja_patent huggingface dataset:
(57)【要約】      （修正有）【課題】簡単な構造で回転型扉の開度を保持すると共に取付けの作業性が良く、また電食及び湿気による金属の腐食を防ぐ構造を可能とする扉ストッパーを提供する。【解決手段】コの字型の金属製ストッパー棒１３の一端が本体に設けた回転基軸孔に樹脂製連結ブッシュ２１にて簡単に回動自在に取付けられ、該ストッパー棒の他端は扉閉時に於いては本体に設けた樹脂製受け皿２２を挿嵌した孔に収納される為、金属製ストッパー棒が樹脂製連結ブッシュと樹脂製受け皿に支持された状態となり直接本体に接触しない構造になり、電食及び湿気による腐食を防ぐことが可能になる。また、扉ストッパーの構成も極めて簡単である為、扉ストッパー棒の取り付けも極めて簡単に嵌装することができるので省力化が可能となる。【選択図】図３
0003162096.tif 000002
【実用新案登録請求の範囲】
【請求項１】
回転型扉１１を配電盤本体１０に係留し、コの字型の金属製ストッパー棒１３の一端１
３Ａが本体に設けた回転基軸孔１７に挿嵌した樹脂製連結ブッシュ２１にて回動自在に取
付けられ、該ストッパー棒１３の他端１３Ｂは扉閉時には本体に設けた樹脂製受け皿２２
を挿嵌した孔１８に収納され、また扉開時には扉側に設けたストッパー棒保持金具１９に
掛けて、扉を開放状態で保持する構造であることを特徴とする扉ストッパー。
【考案の詳細な説明】
【技術分野】
【０００１】
本考案は、配電盤等の回転型扉に装着した扉ストッパーに関するもので、さらに詳しく
は扉を開放状態で保持する扉ストッパー装置に関するものである。
【背景技術】
【０００２】
回転型扉に用いる扉ストッパーは一例として図５に示すようにコの字型の金属製ストッ
パー棒１３の一端１３Ａに抜け止め用の平座金１５を挿入し、次に割りピン１４を割りピ
ン用孔１６に挿入して割り開いた状態の物を該ストッパー棒１３の一端１３Ｂを図６に示
すストッパー棒基軸孔１７に配電盤本体下面より差込み装着していた。
【０００３】
その為、図７に示すような床面とストッパー装着面との距離が短い場合は、装着時にス
トッパー棒が床面と接触して配電盤本体に装着出来ない状況が発生し、配電盤本体を床面
から浮かせて装着するか或いはストッパー棒１３に平座金１５及び割りピン１４を装着し
ていない状態でストッパー棒基軸孔１７に配電盤本体上面より該ストッパー棒１３の一端
１３Ａを挿入後、平座金１５及び割りピン１４を装着する必要がある。
【０００４】
さらには、長期の使用によりストッパー棒１３と回転基軸孔１７とが摩擦により、塗装
或いはメッキが剥がれる恐れが有り、電食及び湿気による発錆の原因になる。
【先行技術文献】
【特許文献】
【０００５】
【特許文献１】実開平２−６４６７１号
【考案の開示】
【考案が解決しようとする課題】
【０００６】
上記の従来技術の扉ストッパー装置ではコの字型の金属製ストッパー棒１３の一端１３
Ａに抜け止め用の割りピン用孔１６を加工すると共に割りピン１６を取付けた後に配電盤
本体下面より差込み装着していた為、加工性、作業性に劣っていた。
【０００７】
また、塗装或いはメッキが剥がれる恐れが有る為、電食及び湿気による発錆の恐れもあ
る。
【０００８】
従って、本考案の目的は上記の問題を解消し、簡単な構造で作業性、耐久性に優れ、低
コストの扉ストッパー装置を提供することにある。
【課題を解決するための手段】
【０００９】
前記課題を解決するために本考案が採用した請求項１の手段は、回転型扉を配電盤本体
に係留し、図３に示す配電盤本体下端部に設けたストッパー棒用基軸孔１７に樹脂製連結
ブッシュ２１を軽く挿嵌することで簡単に嵌装でき、同様にストッパー棒収納孔１８に樹
脂製受け皿を軽く挿嵌することで嵌装できる。
【００１０】
また、図３の金属製丸棒をコの字型に加工したストッパー棒１３の一端１３Ａをストッ
パー棒用基軸孔１７に嵌装した樹脂製連結ブッシュ２１に滑入する事で簡単に樹脂製連結
ブッシュに回動自在に嵌合することができる。  
【００１１】
また該ストッパー棒の他端１３Ｂは扉閉時に於いて配電盤本体下端部に設けた樹脂製受
け皿２２が挿嵌されたストッパー棒収納孔１８に収納され、扉開時は扉側に設けたストッ
パー棒保持金具１９に設けたストッパー棒保持金具用孔２０に掛けて、扉の開角度を保持
する。
【００１２】
本考案は配電盤に限定されるものではなく、電気設備の受配電盤、制御系の制御盤等に
も利用できるものである。
【考案の効果】
【００１３】
以上のように本考案の扉ストッパーは、配電盤本体下端部に取付けた樹脂製連結ブッシ
ュにコの字型に加工したストッパー棒の一端が回動自在に取付けられ、またストッパー棒
の他端は扉閉時には樹脂製受け皿に収納されることで配電盤本体とストッパー棒が直接接
触しない構造になり、電食及び湿気による腐食を防ぐことが可能になる。
【００１４】
また、扉ストッパーの構成も極めて簡単であり、扉ストッパー棒を配電盤本体下部に上
面から簡単に嵌装することができるので省力化が可能となる。
【図面の簡単な説明】
【００１５】
【図１】本考案に掛かる一実施例の配電盤を斜め上方から見た図である。
【図２】本考案に掛かる一実施例の使用部品を斜め上方から見た図である。
【図３】本考案に掛かる一実施例の配電盤の扉を開いた状態を斜め上方から見た図である。
【図４】本考案に掛かる一実施例の配電盤の扉を開いた状態を斜め上方から見た図である。
【図５】従来の扉ストッパー棒の概略を示す図である。
【図６】従来技術に関するものであり、配電盤の扉を開いた状態を斜め上方から見た図である。
【図７】従来技術に関するものであり、ストッパー棒の取付け時の不具合を正面から見た図である。
【図８】従来技術に関するものであり、配電盤の扉を開いた状態を斜め上方から見た図である。
【符号の説明】
【００１６】
１０      配電盤本体
１１      扉
１２      蝶番
１３      ストッパー棒
１３Ａ    ストッパー棒の一端
１３Ｂ    ストッパー棒の一端
１４      割りピン
１５      平座金
１６      割りピン用孔
１７      ストッパー棒基軸孔
１８      ストッパー棒収納孔
１９      ストッパー棒保持金具
２０      ストッパー棒保持金具用孔
２１      樹脂製連結ブッシュ
２２      樹脂製受け皿
【図１】
0003162096.tif 000003
【図２】
0003162096.tif 000004
【図３】
0003162096.tif 000005
【図４】
0003162096.tif 000006
【図５】
0003162096.tif 000007
【図６】
0003162096.tif 000008
【図７】
0003162096.tif 000009
【図８】
0003162096.tif 000010
(57)【要約】      （修正有）【課題】畜産、牧畜業又は、工業に使用するパック詰め木粉を大量のロットで使用するためのパック詰め木屑材を提供する。【解決手段】木屑１を、適宜に乾燥させ、この乾燥された木屑１を圧縮してブロック状に形成してブロック状木屑１０を設け、該ブロック状木屑１０を、収縮性フィルム２で覆い、かつ、文字・図形・記号等の表示３を印刷した包装用容器４に充填する。【選択図】図１
0003162065.tif 000002
【実用新案登録請求の範囲】
【請求項１】
多量の木屑（１）を、適宜に乾燥させ、この乾燥された木屑（１）を圧縮してブロック状に形成したブロック状木屑（１０）を設け、該ブロック状木屑（１０）を、収縮性フィルム（２）を用いてシュリンク包装により覆い、かつ、文字・図形・記号等の表示（３）を印刷した包装用容器（４）で包装することを特徴とするパック詰め木屑材。
【考案の詳細な説明】
【技術分野】
【０００１】
この考案は、パック詰め木屑材に関するものである。
【背景技術】
【０００２】
従来、製材工場の大鋸屑や建築現場で排出される鉋屑や鋸屑、また、建築現場で解体処理されたり、廃棄物として処理されていた建築廃材を木質チップや大鋸屑、鉋屑等の木屑（以下、木屑という）は、産業廃棄物として処理されている。
【０００３】
また、これら廃材としての木材を、チップ状やペレット状に加工して薪ストーブや、薪ボイラー用の燃料材として使用するものは存在した。例えば、特許文献１のように。
【先行技術文献】
【特許文献】
【０００４】
【特許文献１】特開２００８−６９２５７号公報
【０００５】
また、上記の木粉、チップ状やペレット状等は、ハムスターやうさぎ等の小動物であるペットを入れるゲージの床に、少量ながら、敷設材として利用されている。
【０００６】
しかしながら、大量に発生する木屑であっても、いきなり燃料として燃焼してしまうことなく、その前段階として、他の友好的な目的に使用し、その後、燃焼してしまうことを目的とする、パック詰め木屑材である。
【考案の概要】
【考案が解決しようとする課題】
【０００７】
そこでこの考案は、大量に発生する木屑を、大量のロットで使用するため、木屑をパック詰めにして、農業（畜産、牧畜業）・工業の分野で使用するパック詰め木屑を開発・提供することにある。
【課題を解決するための手段】
【０００８】
この考案である課題を解決するための手段は、木屑を、該木屑の水分を適宜に乾燥させ、この乾燥された木屑を圧縮してブロック状に形成し、該ブロック状木屑を設け、該ブロック状木屑を、収縮性フィルムで覆い、かつ、文字・図形・記号等の表示を印刷した包装用容器に充填するものである。
【考案の効果】
【０００９】
この考案によると、木屑を、適宜（水分１５パーセント以下）に乾燥させることにより、木屑の重量を軽くすることができ、また、木粉をブロック状に形成することにより、車両の荷台やコンテナ等に積載して搬送し易く、また、牧畜産業において、牛舎、厩舎そして豚舎等の床に敷設することにより、弾力があり、また、断熱効果もある。
【００１０】
さらに、ブロック状木屑は、簡単につき崩し、粉体や木屑に戻すことも可能であり、例えば、牛舎内で移送管内を、空気圧を用いて移送することも可能であり、作業の煩雑さも解消である等極めて有益なる効果を奏するものである。
【図面の簡単な説明】
【００１１】
【図１】この考案の一実施例を示す一部欠截斜視図である。
【図２】この考案の一実施例を示す作業順序を示す工程図である。
【考案を実施するための形態】
【００１２】
この考案は、木粉等の木屑材を適宜に乾燥させ、この乾燥した木屑材を、立方体あるいは直方体等のブロック状に形成し、これをシュリンク包装し、さらに包装用容器に充填するパック詰め木屑材とするものである。
【実施例】
【００１３】
この考案の一実施例を図面に基づいて説明すると、木屑（１）を、適宜に乾燥させ、この乾燥された木屑（１）を圧縮してブロック状に形成してブロック状木屑（１０）を設け、該ブロック状木屑（１０）を、収縮性フィルム（２）でシュリンク包装して覆い、かつ、文字・図形・記号等の表示（３）を印刷した包装用容器（４）に充填することを特徴とするパック詰め木屑材から構成されるものである。
【００１４】
尚、木屑（１）を適宜に乾燥させるとは、木粉の有する水分を、１５パーセント以下に乾燥させたものを使用するものである。
【００１５】
これらの鋸屑等の木粉は、牛舎の床に敷設し、厩舎には鉋屑を敷設し、豚舎の床には木粉・鉋屑を敷設したり、また、土壌改良材として使用したり、キノコの床培地や、工場などの油吸着材、水分の吸収、金属加工の後処理、弓道場のクッション材等、用途は広いものであり、これらをその後、最終的に燃焼してしまうことにより、資源の節約になる。
【産業上の利用可能性】
【００１６】
この考案によると、パック詰め木屑材の技術を確立し、実施・販売することにより産業上の利用可能性がある。
【符号の説明】
【００１７】
１  木屑
１０  ブロック状木屑
２  伸縮性フィルム
３  表示
４  包装用容器
【図１】
0003162065.tif 000003
【図２】
0003162065.tif 000004
(57)【要約】      （修正有）【課題】開削工事の簡易土留め作業での矢板の突っ張り作業取付け時間の短縮と作業効率の向上を図る矢板を提供する。【解決手段】上下可動ができて伸縮可能なジャッキと、ジャッキを突っ張る為の角材を取付ける。【選択図】図１
0003162005.tif 000002
【実用新案登録請求の範囲】
【請求項１】
この矢板は、水平より下側に上下可動が出来て伸縮可能なジャッキを、固定取付けした事を特徴とする形状を有する矢板。
【請求項２】
この矢板は、ジャッキを突っ張る為の角材等を固定取付けした事を特徴とする形状を有する矢板。
【考案の詳細な説明】
【技術分野】
【００１】この考案は、開削工事などの簡易土留め作業での、突っ張り用固定ジャッキ付き矢板の、形状に関するものである。
【背景技術】
【００２】従来の簡易土留め作業では、掘削溝が短い場合、掘削溝の中に左右に１枚ずつ、矢板を建てこんで、２人で溝の中に入り、１人が矢板幅の角材等を当て木して、もう１人が角材等の部分をジャッキ等で突っ張り固定している。
【考案の概要】
【考案が解決しようとする課題】
【００３】開削工事の簡易土留め作業の、不安全状況での、矢板の突っ張り作業取付け時間の短縮と作業効率の向上を図るのが目的です。
【課題を解決するための手段】
【００４】この土留め矢板は、二種類の使用により一組の状態となる。矢板の１枚に突っ張り用のジャッキを一定の位置に上下可動ができる状態にして固定取付けした矢板を建て込み、もう１枚の相対した矢板には、突っ張り用のジャッキと同一位置に、矢板幅の角材等を固定取付けした矢板を建て込み、１人で容易に突っ張り用のジャッキを上に持ち上げて角材等の上に載せて、突っ張り作業ができる。
【考案の効果】
【００５】この考案により、狭い溝の中で土留め矢板の突っ張り作業が１人で短時間に、容易にできて、不安全状況下での作業時間の短縮になります。
【図面の簡単な説明】
【図１】正面図▲１▼は、ジャッキを固定取付けした矢板・▲２▼は、当て木を固定取付けした矢板
【図２】実施例斜視図
【図３】従来技術
【考案を実施するための形態】
【００６】この土留め矢板は二種類を使用することにより一組となり、一枚の矢板には矢板と矢板を突っ張るためのジャッキを固定取付けする。またこのジャッキは水平より下側に上下可動が可能で、中央部分を回転することにより、伸縮が出来る。もう１枚の矢板には、ジャッキを載せて突っ張る為の角材等をジャッキと同一位置に固定取付けする
【００７】これらの矢板、ジャッキは、アルミ素材を使用することにより軽量で人力での建て込み、持ち運びが容易である
【実施例】
【００８】図２実施例斜視図を参考に説明します、掘削溝に、最初にジャッキを固定取付けした矢板▲１▼を建て込み、次に角材等を固定取付けした矢板▲２▼を建て込みます、それから取付けされたジャッキを上に持ち上げて固定取り付けられた角材等の上に載せ、ジャッキの中央部を回転する事により、矢板どうしを突っ張ることができます。
【図１】
0003162005.tif 000003
【図２】
0003162005.tif 000004
【図３】
0003162005.tif 000005
(57)【要約】      （修正有）【課題】スプーンをマグカップに挿し入れたままコーヒー等の飲料を飲む時、カップを傾けた際に、スプーンが口元にすべって来ることがないマグカップを提供する。【解決手段】コーヒー等の飲料を飲む際、持ち手２が口をつける位置からおよそ直角の位置になることから、この持ち手の、本体１の内側最上部に、滑り止めの突起３を一つだけ設けて、その突起にスプーンを立てかけるようにマグカップを形成する。マグカップ本体の内側最上部に滑り止めの突起を設けたので、右手で飲むときはスプーンを滑り止めの突起の右側に、左手で飲むときは反対側に立てかければ、顔面の位置まで移動して来ない。【選択図】図１
0003162007.tif 000002
【実用新案登録請求の範囲】
【請求項１】
スプーンを挿し入れたまま、コーヒー等の飲料を飲む際に、スプーンが邪魔にならないよう、持ち手の位置の、本体内側最上部に、簡単な滑り止めの突起を設けたことを特徴とするマグカップ。
【考案の詳細な説明】
【技術分野】
【０００１】  この発明は、コーヒー等の飲料に用いるマグカップの形状に関する。
【背景技術】
【０００２】  スプーンをマグカップに挿し入れたまま、コーヒー等の飲料を飲もうとしてマグカップを傾けた際、スプーンがマグカップの縁をすべって、口をつける位置まで移動し、顔面に触れて邪魔になった。これを解決するための従来の技術は、図４のように器具を取り付けて完全に固定したり、図５のようにマグカップ本体に凹みを設けたりしたものであった。
【先行技術文献】
【０００３】
【実用新案文献１】
実用新案登録３１１５４６０号
【実用新案文献２】
実用新案登録３０４９５０１号
【考案の概要】
【考案が解決しようとする課題】
【０００４】  しかしながら、以上の技術によれば、器具をマグカップに着脱すれば余分な手間が生じたり、凹みを設けるとコーヒー等の飲料がこぼれ易くなったりするほか、見た目や使い勝手が本来のマグカップとはかなり異なったものになる。そこで、この発明は、スプーンをマグカップに挿し入れたまま、コーヒー等の飲料を飲む際、左右どちらの手を使っても、スプーンが口をつける位置まですべって来ることがなく、見た目や使い勝手が、本来のマグカップに近いものを提供することを課題とする。
【課題を解決するための手段】
【０００５】  以上の課題を解決するために、コーヒー等の飲料を飲む際、持ち手２が口をつける位置からおよそ直角の位置になることから、この持ち手の、本体１の内側最上部に、滑り止めの突起３を一つだけ設けて、その突起にスプーンを立てかけるようにしたことを特徴とするマグカップである。
【考案の効果】
【０００６】  この発明によれば、マグカップ本体の内側最上部に滑り止めの突起を設けたので、右手で飲むときはスプーンを滑り止めの突起の右側に、左手で飲むときは反対側に立てかければ、顔面の位置まで移動して来ない。しかし、完全に固定されるわけではないので、マグカップを置いた際には、スプーンはこの突起から離れることもあるが気にはならず、むしろスプーンとのコミュニケーションを楽しむ程度と考えている。
【図面の簡単な説明】
【図１】この発明の右手を使う場合の実施形態を示す斜視図である。
【図２】この発明の平面図である。
【図３】この発明の断面図である。
【図４】［実用新案文献１］実用新案登録３１１５４６０号を示す斜視図である。
【図５】［実用新案文献２］実用新案登録３０４９５０１号を示す斜視図である。
【考案を実施するための最良の形態】
【０００７】  この発明の実施形態を図１に示す。
マグカップの本体１の側面には、持ち手２が一体的に設けられている。この持ち手の位置の、本体の内側最上部に、滑り止めの突起３が設けられている。右手で飲むときは滑り止めの突起の右側に、左手で飲むときは反対側に立てかけるようになっていて、小さな突起を一つ設けることで、スプーンが邪魔になるというわずらわしさを解消出来る。また、マグカップを傾けて飲み物を飲んでいる際には、スプーンはこの突起に立てかけられているが、完全に固定されるわけではないので、飲み終わってマグカップを置くと、この突起から離れ片付けが楽になるというメリットもある。【０００８】「実施形態の効果」
この実施形態によれば、持ち手２は口をつける位置から、およそ直角な位置になるので、ここに滑り止めの突起３を設け、右手で飲むときは滑り止めの突起の右側に、左手で飲むときは反対側に立てかければ、スプーン４は持ち手が在る位置に止まり、口をつける位置までは来ない。
「他の実施形態」
図２の平面図では、滑り止めの突起３の形状は洗い易さを考慮して、出来るだけシンプルな形にしてあるが、より複雑な形状もある。
図３の断面図では、滑り止めの突起３の形状は洗い易さを考慮して、下部を斜めに作ってある。また、伏せて置く場合の安定性を考慮して、滑り止めの突起３の上の面が、マグカップ１の縁より上に出ないようにしているが、デザインによっては縁より上に出ることもある。
【符号の説明】
【０００９】  １  マグカップ本体
２  持ち手
３  滑り止めの突起
４  スプーン
【図１】
0003162007.tif 000003
【図２】
0003162007.tif 000004
【図３】
0003162007.tif 000005
【図４】
0003162007.tif 000006
【図５】
0003162007.tif 000007
(57)【要約】【課題】  旅行先で小荷物を託送するなどの小さな需要に対して、必要量に適した、かつ携帯に便利な粘着テープの提供を目的とする。【解決手段】  ガムテープなどの粘着テープの粘着面に、フッ素樹脂などで非粘着加工を施した台紙の非粘着面を貼付する。【選択図】図１
0003162003.tif 000002
【実用新案登録請求の範囲】
【請求項１】
粘着テープを非粘着加工を施した台紙に貼付した、台紙付き粘着テープ。
【考案の詳細な説明】
【技術分野】
【０００１】  本考案は、粘着テープを非粘着加工を施した台紙に貼付した、台紙付き粘着テープに関するものである。
【背景技術】
【０００２】  従来、荷造り梱包用の粘着テープなどは、ボール紙等で作られた円筒形の心材にテープをロール状に巻き付けて作られている。
【考案の概要】
【考案が解決しようとする課題】
【０００３】  しかし従来のロール状粘着テープでは、旅行先で小荷物を託送するなどの小さな需要に対して供給が過剰であり、利用者が使い残しの処置に困窮する場合がある。【０００４】  また、心材の加工などの都合で外径を小さくすることは困難であり、円筒形であるため鞄などに収納するとき内部の空間を大きく占めてしまい携帯性が悪い。【０００５】  本考案は、従来の技術における供給過剰や携帯性の悪さという欠陥のない、必要量に適した、かつ携帯に便利な粘着テープの提供を目的とする。
【課題を解決するための手段】
【０００６】  本考案ではガムテープなどの粘着テープを、心材の代わりにフッ素樹脂などで非粘着加工を施した台紙に貼付し、必要最適な寸法に裁断することにより上記目的を達成するようにした。
【考案の効果】
【０００７】  上述の様に本考案の台紙付き粘着テープは、必要に適した延長で使用者に供給されるため、供給過剰の削減に役立つ。またロール状ではなくシート状であるので、空間利用効率が高く携帯に便利である。なお、粘着テープを剥離した後の台紙は廃棄物となるが、従来のロール心材と比べ小さく纏めることが出来るので処分が容易である。
【図面の簡単な説明】
【０００８】
【図１】本考案の台紙付き粘着テープの斜視図である。
【図２】本考案の台紙付き粘着テープの断面図である。
【考案を実施するための形態】
【０００９】  ガムテープなどの粘着テープの粘着面に、フッ素樹脂などで非粘着加工を施した台紙の非粘着面を貼付する。
【実施例】
【００１０】  以下、添付図面に従って一実施例を説明する。１は台紙、２は１に非粘着加工を施した面、３は粘着テープの粘着面、４は粘着テープの非粘着面である。台紙と粘着テープは２と３で接し、使用時には簡単に剥離することができる。
【符号の説明】
【００１１】１  台紙
２  台紙の非粘着面
３  粘着テープの粘着面
４  粘着テープの非粘着面
【図１】
0003162003.tif 000003
【図２】
0003162003.tif 000004
(57)【要約】      （修正有）【課題】農作業中の長靴への土、砂等の混入を防止をする農作業用前掛を提供する。【解決手段】肩首に掛ける前掛紐を有する胸当部と、この胸当部と連ねる下腹当部と、この下腹当部に連ねると共に、中央切込部によって左右に分離形成され、且つ両太股に巻き付けされる左右前掛部と、更に左右前掛部の外縁部及び中央切込部の切込縁部とに夫々備えられて太股部を巻き付けた際、互いに結合する結合部とで成した。【選択図】図２
0003162089.tif 000002
【実用新案登録請求の範囲】
【請求項１】
肩首に掛ける前掛紐を有する胸当部と、この胸当部と連ねる下腹当部と、この下腹当部に連ねると共に、中央切込部によって左右に分離形成され、且つ両太股に巻き付けされる左右前掛部と、更に該左右前掛部の外縁部及び前記中央切込部の切込縁部とに夫々備えられて太股部を巻き付けた際、互いに結合する結合部とで成したことを特徴とした農作業用前掛。
【請求項２】
前記結合部は、面ファスナーとしたことを特徴とした請求項１記載の農作業用前掛。
【請求項３】
前記結合部は、釦としたことを特徴とした請求項１記載の農作業用前掛。
【請求項４】
前記胸当部は、左右前掛部との連接部に胴巻用紐を備えたことを特徴とした請求項１記載の農作業用前掛。
【考案の詳細な説明】
【技術分野】
【０００１】
本考案は農作業中に長靴の中へ土、砂等が混入するのを防止する農作業用前掛に関する。
【背景技術】
【０００２】
従来、この種前掛は水、油の飛散で衣類を保護する役目と前隠しを主としたファツション的なものであって、長靴等の中へ土、砂等の混入を防ぐことを意図するものでなく、現状の長靴も土、砂等の混入を防止策として、長靴の最上部に紐を付け、絞り込むと共に結んでいる。
【考案の概要】
【考案が解決しようとする課題】
【０００３】
長靴において土、砂等の混入防止をすることは出来ず、足裏、靴下の汚れを無くすることは容易ではなかった。
【課題を解決するための手段】
【０００４】
本考案は、肩首に掛ける前掛紐を有する胸当部と、この胸当部と連ねる下腹当部と、この下腹当部に連ねると共に、中央切込部によって左右に分離形成され、且つ両太股に巻き付けされる左右前掛部と、更に該左右前掛部の外縁部及び前記中央切込部の切込縁部とに夫々備えられて太股部を巻き付けた際、互いに結合する結合部とで成したことを特徴としたものである。
更に本考案は、結合部を面ファスナーとしたことを特徴としたものである。
又、本考案は、結合部を釦としたことを特徴としたものである。
又、本考案は、胸当部を左右前掛部との連接部に胴巻用紐を備えたことを特徴としたものである。
【考案の効果】
【０００５】
（１）請求項１により、胸当部及び下腹当部と繋がる左右前掛部を両太股に巻き付けて覆うことにより、長靴の中に土、砂等の混入を防止することが出来る。
（２）請求項２により、左右前掛部の巻き付けは、面ファスナーにて簡単に着脱す
ることが出来る。            
（３）請求項３により、胸当部、下腹当部と左右前掛部とは胴巻用紐胴巻にて的確に装備できる。
【図面の簡単な説明】
【０００６】
【図１】農作業用前掛を着用状態を正面図
【図２】同上の使用状態前の正面図
【図３】同上の使用状態を示す背面図
【図４】左右前掛部の拡大断面図
【図５】胸当部の拡大断面図
【考案を実施するための形態】
【０００７】
以下本考案と実施例として掲げた図面に基づき説明すると、図２は農作業用前掛の正面図であって、布、合成繊維等にて作られた前掛本体１を示している。
而して、この前掛本体１は、人体Ｈの肩首Ｈａに巻き付けて掛ける前掛紐２及び該前掛紐２が結ばれる引掛け部３を縫い付けた胸当部４を形成している。
この胸当部４の下部には下腹当部５を連ねており、胸当部４と下腹当部５との連接部６に胴巻用紐７を縫い付けている。
【０００８】
更に下腹当部５に連なると共に、中央切込部８によって左右に分離形成され、且つ両太股部Ｈｂに巻き付けされる左右前掛部９を有する。
この左右前掛部９の外縁部９ａ及び前記中央切込部８の切込縁部８ａとには夫々備えられて太股部Ｈｂを巻き付けた際、互いに結合する結合部１０を設けている。
具体的には、結合部１０を面ファスナーとしているが、勿論、釦としてもよい。
【符号の説明】
【０００９】
Ｈ    人体
Ｈａ  肩首
Ｈｂ  両太股部
１    前掛本体
２    前掛紐
３    引掛け部
４    胸当部
５    下腹当部
６    連接部
７    胴巻用紐
８    中央切込部
９    左右前掛部
１０  結合部
【図１】
0003162089.tif 000003
【図２】
0003162089.tif 000004
【図３】
0003162089.tif 000005
【図４】
0003162089.tif 000006
【図５】
0003162089.tif 000007
(57)【要約】【課題】  収納に場所をとらない使用済油精製装置を提供すること。【解決手段】  底部が液通可能に構成された平面視四角形状の凹部を底面に有する平面視長方形状の内容器と、この内容器を収容可能な平面視長方形状の外容器とからなり、外容器に収容状態にあった内容器を持ち上げて９０度回転させて外容器の上に載置すると、内容器の底面の凹部が外容器の開口縁内に嵌り込むことによって内容器が横滑りして外容器の上から落下することが防止され、内容器の底面の凹部に濾材を配置することで、内容器の上方から注ぎ込んだ使用済油を濾過し、自然落下した精製油を外容器に回収するようにしたことを特徴とする。【選択図】  図２
0003162047.tif 000002
【実用新案登録請求の範囲】
【請求項１】
底部が液通可能に構成された平面視四角形状の凹部を底面に有する平面視長方形状の内容器と、この内容器を収容可能な平面視長方形状の外容器とからなり、外容器に収容状態にあった内容器を持ち上げて９０度回転させて外容器の上に載置すると、内容器の底面の凹部が外容器の開口縁内に嵌り込むことによって内容器が横滑りして外容器の上から落下することが防止され、内容器の底面の凹部に濾材を配置することで、内容器の上方から注ぎ込んだ使用済油を濾過し、自然落下した精製油を外容器に回収するようにしたことを特徴とする使用済油精製装置。
【考案の詳細な説明】
【技術分野】
【０００１】
本考案は、収納に場所をとらない使用済油精製装置に関する。
【背景技術】
【０００２】
例えば天ぷらやフライなどの揚げ物加工に使用される食用油は、繰返し使用すると、次第に劣化して酸化されたり、着色したりする。このため、使用済食用油を、活性炭、活性白土、珪藻土などからなる濾材で濾過することで、その精製を行い、使用耐久性を向上させることが広く行われており、例えば使用済油精製装置の１つとして、底面全体に多数のパンチング孔が設けられた上部開口状の上容器と、上容器に嵌合する上部開口状の下容器とからなり、上容器の底面全体にわたって濾材を袋詰めしたものを配置することで、上容器の上方から注ぎ込んだ使用済油を濾過し、自然落下した精製油を下容器に回収するようにしたものが知られている。
【考案の概要】
【考案が解決しようとする課題】
【０００３】
上記のような使用済油精製装置は、簡易な構成で効率よく使用済油の精製が行える点で優れているが、嵩高いため収納に場所をとるといった点で改良の余地があった。
そこで本考案は、収納に場所をとらない使用済油精製装置を提供することを目的とする。
【課題を解決するための手段】
【０００４】
上記の点に鑑みてなされた本考案の使用済油精製装置は、請求項１記載の通り、底部が液通可能に構成された平面視四角形状の凹部を底面に有する平面視長方形状の内容器と、この内容器を収容可能な平面視長方形状の外容器とからなり、外容器に収容状態にあった内容器を持ち上げて９０度回転させて外容器の上に載置すると、内容器の底面の凹部が外容器の開口縁内に嵌り込むことによって内容器が横滑りして外容器の上から落下することが防止され、内容器の底面の凹部に濾材を配置することで、内容器の上方から注ぎ込んだ使用済油を濾過し、自然落下した精製油を外容器に回収するようにしたことを特徴とする。
【考案の効果】
【０００５】
本考案の使用済油精製装置は、使用済油を濾過するための容器を内容器として外容器に収容することができるので、収納に場所をとらない。
【図面の簡単な説明】
【０００６】
【図１】本考案の使用済油精製装置の一実施形態の分解断面図（外容器に収容状態にあった内容器を持ち上げて９０度回転させた状態を正面から見た図）である。
【図２】同、使用態様の一例の断面図（側面から見た図）である。
【考案を実施するための形態】
【０００７】
以下、本考案の使用済油精製装置を図面に基づいて説明するが、本考案の使用済油精製装置は以下の記載に限定して解釈されるものではない。
【０００８】
図１は、本考案の使用済油精製装置の一実施形態の分解断面図であり、図２はその使用態様の一例の断面図である。この使用済油精製装置１は、ステンレス製であり、平面視長方形状の内容器２と、この内容器２を収容可能な平面視長方形状の外容器３とからなる。内容器２は、底部が多数のパンチング孔が設けられていることで液通可能に構成された平面視四角形状の凹部４をその底面に有している（凹部４の底部自体が金網でできていてもよい）。この使用済油精製装置１を使用する際は、外容器３に収容状態にあった内容器２を持ち上げて９０度回転させ、内容器２の底面の凹部４が外容器３の開口縁内に嵌り込むように内容器２を外容器３の上に載置する。こうすることによって内容器２が横滑りして外容器３の上から落下することが防止され、外容器３の上で内容器２が安定に保持される。そして内容器２の底面の凹部４にその形状に沿うように濾紙５を配し、濾紙５で形成される区画に濾材６（例えば活性炭、活性白土、珪藻土などからなる粉体や粒子の形態のものが挙げられる）を敷設して凹部４を濾材６で満たし、濾紙５の端部を折り畳んで濾材６の表面を覆った後、その上面に例えば格子状の押え部材７を配し、内容器２の上方から使用済油を注ぎ込んで濾材６で使用済油を濾過して精製する。こうすることによって使用済油を上容器２に注ぎ込んだ際の濾材６の舞い上がりを効果的に防止することができる。また、濾材の種類によっては使用済油の精製時に気泡が発生する場合があり、こうした場合には気泡が使用済油中を上昇する際に濾材も一緒に舞い上がってしまう現象が起こるが、このような現象を防止することもできる。なお、使用済油の精製を行っている間は、内容器２の開口部を上蓋８で閉じるとともに、上に内容器２が載置されていない外容器３の開口部を上蓋９で閉じることで、内容器２と外容器３の内部にゴミや異物が混入しないようにすることが望ましい。精製された油は、内容器２の底面の凹部４の底部のパンチング孔から自然落下して外容器３に貯留された後、回収される。なお、内容器２の底面の凹部４の底部と濾紙５との間に凹部４の底部を覆う大きさの濾紙を別途に配することで、濾紙５で形成された区画からこぼれ出た濾材６が精製油とともに外容器３に落下することをより確実に防止することができる。使用済油の精製をこのようにして行うことで、袋を使用しないのでその分だけ実施コストを下げることができるといった効果や、使用する濾材の量を自由に設定できるといった効果を得ることができる。また、濾材６の取替えは、濾紙５の両端部をつまんで内容器２の底面の凹部４から取り外すことによって容易に行うことができ、内容器２の洗浄も簡単である。使用済油の精製を行った後は、内容器２を外容器３に収容して所定の場所に収納すればよい。
【０００９】
なお、上記の説明は、袋詰めしていない濾材を用いて使用済油の精製を行う場合のものであるが、内容器２の底面の凹部４に袋詰めした濾材を配置してもよい。
【産業上の利用可能性】
【００１０】
本考案は、収納に場所をとらない使用済油精製装置を提供することができる点において産業上の利用可能性を有する。
【符号の説明】
【００１１】
１  使用済油精製装置
２  内容器
３  外容器
４  凹部
５  濾紙
６  濾材
７  押え部材
８  上蓋
９  上蓋
【図１】
0003162047.tif 000003
【図２】
0003162047.tif 000004
(57)【要約】      （修正有）【課題】シート部と背もたれ部の間に調整構造を設け、快適性を向上させた椅子を提供する。【解決手段】シート部１の二側に連接部１１が固定され、背もたれ部２の底端の二側にアームレスト２１が設けられ、該アームレストの底端に該シート部の連接部に対応して線形伸縮器２２が設けられてシート部の連接部における位置決めと使用者の体型に合わせた調整に供する。且つ該線形伸縮器２２と水平面の間に仰角が形成されて、背もたれ部２を同時に上昇、後退させて必要な位置とすることができるように構成する。【選択図】図１
0003162044.tif 000002
【実用新案登録請求の範囲】
【請求項１】
椅子において、シート部と背もたれ部を具え、該シート部に連接部が固定され、該背もたれ部に線形伸縮器が接続され、該線形伸縮器が該連接部に固定されたことを特徴とする椅子。
【請求項２】
請求項１記載の椅子において、該線形伸縮器と水平面の間に仰角が形成されたことを特徴とする椅子。
【請求項３】
請求項１又は２記載の椅子において、該背もたれ部にアームレストが設けられ、該アームレストに該線形伸縮器が接続されたことを特徴とする椅子。
【請求項４】
請求項１又は２記載の椅子において、該線形伸縮器が無段式及び多段式の係止構造のいずれかとされたことを特徴とする椅子。
【請求項５】
請求項１又は２記載の椅子において、該線形伸縮器が電動式の油圧シリンダとされたことを特徴とする椅子。
【考案の詳細な説明】
【技術分野】
【０００１】
本考案は一種の椅子の構造に係り、特に、線形伸縮器が設けられて、椅子の背もたれ部を使用者の体型に合わせて調整できる椅子の構造に関する。
【背景技術】
【０００２】
多くの機関団体、会社から家庭にいたるまで、各種のオフィス椅子が使用され、また、簡単な背もたれのないスツール、或いは豪華なソファー、或いは運搬に便利なキャスター付きの椅子もある。使用者が各種の事務を処理する時には、快適で便利なオフィス椅子が、事務処理効率をアップできる。
【０００３】
背もたれ部とシート部を有する椅子は、早期のものは木材で製造されていたが、現在は時代が進歩し、椅子のほとんどはプラスチック材質で製造されるようになった。このほか、背もたれ部にスポンジ等の弾性材料で形成されたヘッドレストが設けられて、使用時の快適性をアップしたものもある。
【０００４】
しかし、上述の椅子を実際に使用する時は、シート部と背もたれ部の間に調整構造がないため、各種体型の使用者に合わせることができず、産業上の利用性が低下した。
【考案の概要】
【考案が解決しようとする課題】
【０００５】
上述の欠点を鑑み、本考案は一種の椅子の構造を提供する。この椅子は、背もたれ部に線形伸縮器が設けられて、背もたれ部をシート部において位置決めすると共に使用者の体型に合わせて調整でき、且つ線形伸縮器と水平面の間に仰角が形成されて、背もたれ部を同時に、上昇、後退させられて必要な位置に調整できる。
【課題を解決するための手段】
【０００６】
本考案の椅子の好ましい実施例において、その特徴は、シート部と背もたれ部を有し、そのうち、該シート部の二側に連接部が固定され、該背もたれ部の底端の二側にアームレストが設けられ、該アームレストの底端に該シート部の連接部に対応して線形伸縮器が設けられ、該線形伸縮器と水平面の間に仰角が形成され、該シート部の連接部に位置決めされ、並びに調整に供される。
【０００７】
本考案の椅子の好ましい実施例において、該線形伸縮器は無段式或いは多段式の係止構造とされ、該連接部に位置決めされ並びに調整に供され、且つ該線形伸縮器は電動式の油圧シリンダとされ得て、自動の調整に供される。
【考案の効果】
【０００８】
本考案の椅子は、背もたれ部を同時に上昇、後退させて必要な位置とすることができ、極めて実用上の便利性を有する。
【図面の簡単な説明】
【０００９】
【図１】本考案の立体図である。
【図２】本考案の使用状態図である。
【図３】本考案の別の使用状態図である。
【考案を実施するための形態】
【００１０】
本考案の運用する技術内容、考案の目的及びその達成する作用効果についてさらに完全に且つ明白に記載するため、以下に実施例を挙げ並びに図面を参照して説明を行う。
【００１１】
まず、図１に示されるように、本考案の椅子はシート部１と背もたれ部２を包含する。
【００１２】
そのうち、該シート部１の二側にそれぞれ連接部１１が設けられ、該連接部１１は例えば係止構造を有する連接棒とされて、該背もたれ部２を結合するのに用いられ、並びにシート部１の底端に複数の足１２が固定され、足１２の末端にキャスター１３が取付けられ、シート部１を移動させることができる。
【００１３】
該背もたれ部２の底端の二側にアームレスト２１が固定され、該アームレスト２１の底端は該シート部１の連接部１１に対応し、それぞれ線形伸縮器２２が接続され、線形伸縮器２２と水平面の間には仰角が形成されている。該線形伸縮器２２は無段式或いは多段式の係止構造とされ得て、該連接部１１に位置決めされ並びに調整に供され、且つ線形伸縮器２２は電動式の油圧シリンダ等とされ得て、自動調整に供される。
【００１４】
実施時には、図１に示されるように、背もたれ部２の二側の線形伸縮器２２がシート部１の二側の連接部１１に接続され、図１に合わせて図２も参照されたいが、使用者がシート部１上に座り、並びにその背部を背もたれ部２にもたれさせることができ、快適性をアップできる。使用者の体型が比較的高い時は、図１に図３を参照されたいが、線形伸縮器２２と水平面の間に仰角が形成されるため、使用者は線形伸縮器２２を制御して背もたれ部２を線形伸縮器２２の軸方向に沿って移動させれば、背もたれ部２が同時に上昇、後退し、必要な位置に調整でき、極めて実用上の便利性を有する。
【００１５】
上述の実施例或いは図面は本考案の製品態様、線形伸縮器の種類或いは使用方式を限定するものではなく、本考案に基づき当業者がなし得る適宜変化或いは修飾は、いずれも本考案の権利請求範囲内に属するものとする。
【００１６】
上述の構成と実施説明からわかるように、本考案は既存の技術と比較すると、以下のような長所を有している。
１．本考案の背もたれ部はアームレストに線形伸縮器が接続され、線形伸縮器によりシート部の連接部に位置決めされ、調整されて使用者の体型に合わせた位置とすることができる。
２．本考案の線形伸縮器と水平面の間には仰角が形成され、背もたれ部を同時に、上昇、後退させて必要な位置に調整することができ、極めて実用上の便利性を有する。
３．本考案の線形伸縮器は無段式或いは多段式の係止構造とされ得るほか、電動式の油圧シリンダとされて自動調整に供され得る。
【００１７】
総合すると、本考案の実施例は確実に予期された使用効果を達成し、また記載された具体的構造は、同類の製品中に見られず、またその出願前に公開されておらず、ゆえに実用新案登録の要件に符合する。
【符号の説明】
【００１８】
１  シート部          １１  連接部
１２  足              １３  キャスター
２  背もたれ部        ２１  アームレスト
２２  線形伸縮器
【図１】
0003162044.tif 000003
【図２】
0003162044.tif 000004
【図３】
0003162044.tif 000005
(57)【要約】      （修正有）【課題】脚を有する盛皿の少なくとも皿部の一部に上下に貫通する開口を形成し、前記開口に花器を着脱自在に装着することが可能な盛皿を提供する。【解決手段】脚４を有する盛皿１であって、少なくとも皿部に表裏に貫通する開口２が形成されてなり、前記開口２の周囲には開口回り縁３が形成されており、開口２に花器を着脱自在に挿着可能な盛皿とする。【選択図】図２
0003162016.tif 000002
【実用新案登録請求の範囲】
【請求項１】
脚を有する盛皿であって、少なくとも皿部の一部に表裏に貫通する開口が形成されてなり、前記開口に花器を着脱自在に挿着可能な盛皿。
【考案の詳細な説明】
【技術分野】
【０００１】  本考案は、脚を有する盛皿の少なくとも皿部の一部に上下に貫通する開口が形成されてなり、前記開口に花器を着脱自在に挿着することが可能な盛皿に関するものである。
【背景技術】
【０００２】  従来より、盛皿に盛り付けた料理の脇に花などを添えることが行われ、料理の味覚と、季節折々の風情を楽しむように盛り付けがされていたが、料理を食する時に、箸や指でつまんで脇に寄せられてしまい、料理と花・草・木を楽しむという風情は無視されてしまう傾向が強かった。出願人は、意匠登録第１３６４９６８号に見られるように、脚を有する盛皿の皿部に凹部を形成し、この凹部に小型剣山を配置し、ここに季節の草花、枝木の花や葉を生けることができる盛皿を考案したが、皿と草花や枝木の花などを生ける凹部とが一体で形成されているため、同じ形、素材も盛皿と同一で、変化に乏しいものであった。【０００３】  更に、草花や枝木の花や葉を生けるための凹部と料理を盛り付ける皿部分とが一体に形成されていることにより、盛皿を洗う場合に凹部内を洗うのに時間がかかってしまい不便なものでもあった。
【考案の開示】
【考案が解決しようとする課題】
【０００４】  本考案は、上記した従来の盛皿を改善し、季節にあった素材の花器を使用できるようにすると共に、盛皿を洗う時に手間や場所を効率的にできる盛皿を提供するものである。
【課題を解決するための手段】
【０００５】  脚４を有する盛皿１であって、少なくとも皿部に表裏に貫通する開口２が形成されてなり、前記開口２の周囲には開口回り縁３が形成されており、開口２に花器を着脱自在に挿着可能な盛皿を提供する。【０００６】  盛皿としては陶磁器製、ガラス製、木製、合成樹脂製、金属製などあらゆる素材のものが使用できる。盛皿の形状は、正方形状、長方形状、多角形状、円形状、楕円形状、長円形状など一般に使用されている形状であればいずれのものでもよい。【０００７】  また花器としては、盛皿の素材と同じものが使用できると共に、紙製のものも使用できるものである。盛皿の素材と花器の素材は同一のものであってもよいし、異種の素材のものを組み合わせても良いものである。【０００８】  例えば、陶磁器製の盛皿に陶磁器製の花器という組み合わせや、陶磁器製の盛皿に木製の花器という組み合わせでも良いものである。それぞれの素材を組み合わせることにより、料理だけではなく、器の組み合わせをも楽しむことができるものである。【０００９】  花器は横断面が円筒形、楕円筒形、角筒形、多角筒形、星形筒形など任意形状の筒形のものが使用できる。盛皿の開口形状は花器の形状に合わせて円形、楕円形、多角形、星形などにする必要がある。盛皿の開口形状は正方形など特定の形状にしておき、開口を塞ぐ正方形状の挿入体に、花器形状の開口部を形成すれば、盛皿を花器の形状数と同数の種類を準備する必要はなくなるものである。【００１０】  盛皿は脚を有するものでなければならない。脚は皿の裏面に三個以上の脚を形成するか、または高台を有するものであれば、いずれのものでもよい。脚を有しない盛皿の場合は花器を挿入する開口を形成しても、花器の安定性に欠けることになってしまうものである。
【考案の効果】
【００１１】  本考案の盛皿１は、脚４を有する盛皿であって、少なくとも皿部に表裏に貫通する開口２が形成されてなり前記開口２の周囲には開口回り縁３が形成されているので、開口２に花器を挿着したときには、花器の底部が脚の高さだけ皿の裏面に突出した状態になると共に、開口回り縁によってしっかり固定されるので、花器が倒れたりすることなく、安心して花器に生けられた草花や枝木の花を観賞することができ、料理をおいしく食することができるものである。
【図面の簡単な説明】
【００１２】
【図１】  開口が長方形である本考案の盛皿の平面図
【図２】  図１のＡ−Ａ’線断面図
【図３】  図１で示す本考案の盛皿の斜視図
【図４】  花器の一例を示す斜視図
【図５】  カード差しを設けた花器の一例を示す斜視図
【図６】  花を生けた図５に示す花器を装着した盛皿の斜視図
【符号の説明】
【００１３】１・・・盛皿
２・・・開口
３・・・開口回り縁
４・・・脚
５・・・花器
６・・・カード差し
【図１】
0003162016.tif 000003
【図２】
0003162016.tif 000004
【図３】
0003162016.tif 000005
【図４】
0003162016.tif 000006
【図５】
0003162016.tif 000007
【図６】
0003162016.tif 000008
(57)【要約】      （修正有）【課題】どこにでも簡単に取り付けられる簡易型ロールアップスクリーンを提供する。【解決手段】上部木部１に溝をつけ、連結したリング３をかける。下部木部２は両端を細くし、リングに通せるようにして、上部木部１と下部木部２にスクリーンを固定する。【選択図】図１
0003162014.tif 000002
【実用新案登録請求の範囲】
【請求項１】
上部棒状両端に溝を作り、下部棒状両端を細くした、２本の棒にスクリーンを固定させ、上部木部の溝にリングをかけ、下部木部両端をリングに通すことによって長さを調節できるようにした、簡易型ロールアップスクリーン
【考案の詳細な説明】
【技術分野】
【０００１】  本考案は、上部棒状物と下部棒状物にスクリーンを付け、簡易的に長さを調節できるようにしたものである。
【背景技術】
【０００２】  市販のロールアップスクリーン、ブラインド等は、高価で複雑であった。
【先行技術文献】
【特許文献】
【０００３】
【特許文献１】  特開２００２−１５３３７６  号  公報
【考案の概要】
【考案が解決しようとする課題】
【０００４】  ブラインド、ロールアップスクリーンは、高価で、取り付け金具等も必要であり取り付け場所も限られていた。布、和紙、ビニールクロス等で、スクリーンを作りどこにでも簡単に取り付けられるように、前述の欠点を解決しようとするものである。
【課題を解決するための手段】
【０００５】  本考案は上部棒状のもの（合板等適宜素材によって作るが、以下上部木部と称する。）と、下部棒状のもの（以下下部木部と称する。）にスクリーンを付け、溝をつけた上部木部に、連結できるプラスティックのような適宜素材のリングをかけ、下部木部の両端をリングに通し、簡易的に長さを調節できるようにした。
【考案の効果】
【０００６】  上部木部をつける場所、用途により、のれん、間仕切り、収納棚の扉、カーテンとして使用できる。スクリーンも個人の好みで、いろいろのものが使用できる。
【図面の簡単な説明】
【０００７】
【図１】本考案の簡易型ロールアップスクリーンの上部木部、下部木部、リングの平面図である。
【図２】本考案にしたがってロールアップスクリーンを作った実施例である。
【考案を実施するための形態】
【０００８】  棒状でスクリーンを固定できる上部木部に、リングをかける溝を作る。
棒状でスクリーンを固定できる下部木部両端に、リングに通せる細い部分を作る。
連結できるように重なる部分のある、リングを作る。
【実施例】
【０００９】  以下、添付図面に従って実施例を説明する。
１は合板等にて一体化形成された上部木部、２はやはり一体化形成された下部木部、３は耐久性があり連結できるよう、プラスティック等で形成されたリングである。
１と２に、布等で作られたスクリーンを付け、１の溝にリングをかける。
【符号の説明】
【００１０】１      上部木部
２      下部木部
３      リング
【図１】
0003162014.tif 000003
【図２】
0003162014.tif 000004
(57)【要約】      （修正有）【課題】洋式便器を使って、日常的に排便の状態を見る大便観察用具を提供する。【解決手段】大便の受け皿１に、斜めに延びた柄２をつけ、柄の先端部を引っ掛け状３にして大便観察用具を形成する。この大便観察用具は、便器４の上蓋５と便座６を開き、観察用具の先端の引っ掛け部分３を便器の前部の縁７に置き、受け皿部を便器の中に設置する。受け皿の上に切断したトイレットペーパーを敷き、便座６を下ろす。この後、利用者は便座に腰掛け、受け皿に排便する。受け皿に受けた大便は、色、形状、臭いなどの状態を観察する。【選択図】図２
0003162012.tif 000002
【実用新案登録請求の範囲】
【請求項１】
大便の受け皿に斜めに延びた柄をつけ、柄の先端部を、洋式便器の縁に引っ掛けるようにしたのを特徴とする大便観察用具。
【考案の詳細な説明】
【技術分野】
【０００１】  本考案は、大便の状態を観察する用具に関するもの。
【背景技術】
【０００２】  従来、洋式便器では、水溶性の帯状片の両端を貼着して便を受けるもの（例えば特許文献１参照）凸形ペーパーの三突部を便座に貼付して使用するもの（例えば特許文献２参照）などがある。また、柄の先に箱状の糞便受けをつけ、専用の採便棒を利用する採便用具がある。（例えば特許文献３参照）
【先行技術文献】
【特許文献】
【０００３】
【特許文献１】実用公開平７−６７６０
【特許文献２】実用新案第３１１７０３４号
【特許文献３】特許公開平１１−３７９９９
【考案の概要】
【考案が解決しようとする課題】
【０００４】  しかし、これらは、いずれも検便用に大便を一旦受け止め、採便の後貼り付け部を剥がし、水洗で流す使い捨て用品であり、また、検便用の箱形をした採便用具である。
一般家庭で、手軽に大便を観察するための用具はなかった。
本考案は、毎日でも継続的に繰り返し使用できる、使い易い用具を提供するものである。
【課題を解決するための手段】
【０００５】  大便の受け皿に斜めに延びた柄をつけ、柄の先端部を、洋式便器の縁に引っ掛けるようにしたのを特徴とする大便観察用具である。
【考案の効果】
【０００６】  自分の体調の変化を、いち早く知る事のできる方法の一つとして、毎日の大便を観察することが提唱されている。
【図面の簡単な説明】
【０００７】
【図１】  本考案の斜視図
【図２】  本考案を設置した、便器の一部断面図
【図３】  本考案を設置した、便器の平面図
【考案を実施するための形態】
【０００８】  大便の受け皿１に、斜めに延びた柄２をつけ、柄の先端部を引っ掛け状３にしたのを特徴とする大便観察用具である。
【０００９】  この大便観察用具は、便器４の上蓋５と便座６を開き、観察用具の先端の引っ掛け部分３を便器の前部の縁７に置き、受け皿部を便器の中に設置する。受け皿の上に切断したトイレットペーパーを敷き、便座６を下ろす。この後、利用者は便座に腰掛け、受け皿に排便する。受け皿に受けた大便は、色、形状、臭いなどの状態を観察する。
特に大腸ガンなど腸内の出血は、大便が黒色に変色して現れることから、大便の観察は、体調の変化をいち早く感知することができ、早めの治療を受けることの出来るなど、健康管理に役立つ大便観察用具である。
【符号の説明】
【００１０】    １    受け皿
２    柄
３    引っ掛け部
４    洋式便器
５    上蓋
６    便座
７    便器前部の縁
【図１】
0003162012.tif 000003
【図２】
0003162012.tif 000004
【図３】
0003162012.tif 000005